(57)【要約】【課題】堆積した塵埃を効率的に除去し、エアフィルターの耐久性を向上させるとともに、組み立ておよび清掃体の交換が容易で、維持費用が安い回転ロータとそれを用いた空気調和機を提供する。【解決手段】回転ロータ２６は、一回転で得られる有効清掃幅が少なくとも３００mmの長さを有するとともに、外周の長手方向に平行な直線状に形成された支持溝２１を有するロータ２０と、ロータ２０の支持溝２１に基部２４を着脱自在に挿入し、清掃片２５を支持溝２１に沿って形成した開口２２より外周方向に突出させるとともに、直線状の支持溝２１に対して清掃片２５の先端を非直線状の形状にしてエアフィルターに当接させ、堆積した塵埃を掻き取る清掃体２３を備えたことを特徴とする空気調和機用回転ロータとしたものである。【選択図】図1
2007315735.tif 000002
【特許請求の範囲】
【請求項１】
空気調和機に装着されたエアフィルターに堆積した塵埃を除去し、一回転で得られる有効清掃幅が少なくとも３００mmの長さを有する空気調和機用回転ロータにおいて、
前記回転ロータは、外周の長手方向に平行な直線状に形成された複数の支持溝を有するロータと、前記ロータの前記支持溝に基部を着脱自在に挿入し、清掃片を前記支持溝に沿って形成した開口より外周方向に突出させるとともに、直線状の前記支持溝に対して前記清掃片の先端を非直線状の形状にして前記エアフィルターに当接させ、堆積した塵埃を掻き取る少なくとも１つ以上の清掃体を備えたことを特徴とする空気調和機用回転ロータ。
【請求項２】
清掃体を、ロータの支持溝に挿入する基部を短い円弧側とする扇形に形成し、前記基部を前記ロータの前記支持溝に挿入することにより、清掃片の先端が波形になるようにしたことを特徴とする請求項１に記載の空気調和機用回転ロータ。
【請求項３】
清掃体の全長を、ロータの全長より長く形成し、前記ロータの支持溝に前記清掃体の基部を挿入するとともに、前記清掃体を前記ロータの全長内に収まるように押し込んで縮めることにより、前記清掃片の先端を波形になるようにしたことを特徴とする請求項１に記載の空気調和機用回転ロータ。
【請求項４】
清掃体の基部を長手方向に断続的に形成し、前記基部をロータの異なる支持溝に順次挿入することにより、清掃片を前記ロータの軸の周りに螺旋状または波形になるように形成したことを特徴とする請求項１に記載の空気調和機用回転ロータ。
【請求項５】
基部を長手方向に平行な直線状に形成し、清掃片をロータの軸の周りに螺旋状になるように清掃体を形成し、前記基部をロータの支持溝に挿入したことを特徴とする請求項１に記載の空気調和機用回転ロータ。
【請求項６】
空気を熱交換する熱交換器と、前記熱交換器への吸い込み空気流の上流側に位置し、流入する空気中に含まれる塵埃を捕獲するエアフィルターと、請求項１〜５のいずれか１項に記載の空気調和機用回転ロータとを備えた空気調和機。
【発明の詳細な説明】
【技術分野】
【０００１】
本発明は、空気調和機に取り付けられたエアフィルターの清掃を行う空気調和機用の回転ロータと、これを用いた空気調和機に関するものである。
【背景技術】
【０００２】
従来の空気調和機用回転ロータについて、図７、８を用いて説明する。図７は従来の
空気調和機用回転ロータを配した空気調和機の縦断面図、図８は同空気調和機用回転ロータの斜視図である。
【０００３】
図７において、空気調和機本体１内には、熱交換器２と、室内の空気を取り入れる吸込口３と、熱交換器２と吸込口３の間に設けられたベルト状のエアフィルター４と、このエアフィルター４を張設した駆動軸６および従動軸７と、前記駆動軸６を回転駆動させるサーボモーター５と、前記フィルター４で捕集された塵埃を除去する空気調和機用回転ロータ８（以下、回転ロータ８と記載）と、前記回転ロータ８を回転駆動する駆動手段（図示せず）と、前記吸込口３と連通し前記回転ロータ８を内設し排出口９を有する排気管１０と、前記排気管１０内に設けられた塵埃排出用ファン１１と、前記吸込口３から室内の空気を吸引し、熱交換器２を通して吹き出し口１２から、熱交換された空気を室内に吹き出すファン１３を備えている。回転ロータ８は、図８に示すように、回転ロータ８ａと、前記回転ロータ８ａの外周の長手方向に直線状に植設されたブラシ状の清掃体８ｂから構成されている。
【０００４】
上記構成による回転ロータ８と空気調和機の動作、作用は以下の通りである。空気調和機本体１を、例えば冷房運転すると、ファン１３により室内の空気が吸込口３から流入し、エアフィルター４を通って熱交換器２に至り、そこで冷却され、冷たい空気が吹き出し口１２から室内に吹き出される。吸引される室内の空気に含まれる塵埃は、前記エアフィルター４で捕集され、フィルター４の表面に堆積する。エアフィルター４の表面に塵埃が堆積してくると、空気の通気圧損が増加し、熱交換効率が低下してくるので、定期的にあるいは、必要に応じて、エアフィルター４上の塵埃の除去運転が必要となる。
【０００５】
塵埃の除去運転は、サーボモーター５を運転して駆動軸６を回転させてベルト状のフィ
ルター４を連続的に移動させ、その間に回転ロータ８を回転させると共に塵埃排出用ファン１１を運転するもので、エアフィルター４上の塵埃が、回転ロータ８の清掃体8ａで掻き取られ、掻き取られた塵埃は、塵埃排出用ファン１１により吸引され、排出口９より室外に排出されるようになっている（例えば、特許文献１参照）。
【特許文献１】特開平６−７４５２１号公報
【発明の開示】
【発明が解決しようとする課題】
【０００６】
前記従来の回転ロータ８の清掃体８ｂは、回転ロータ８ａの外周の長手方向と平行に直線状に植設されているため、各清掃体８ｂの先端がエアフィルター４に対して間欠的に当接することになり、塵埃の掻き取りの効率が低く、また樹脂製で薄く柔軟なエフィルター４を損傷させやすい課題を有している。さらに回転ロータ８の清掃体８ｂは、網目状のエアフィルター４上の塵埃を掻き取るため、消耗が激しく、定期的に清掃体８ｂを交換する必要があるが、従来の回転ロータ８の清掃体８ｂは、ロータ８ａに植設されているため、清掃体８ｂのみの交換は不可能で、回転ロータ８全体を交換する必要があり、回転ロータ８が搭載された空気調和機の維持費用が高価になるという課題を有している。
【０００７】
本発明は、上記従来の課題を解決するもので、堆積した塵埃を効率的に除去し、エアフィルターの耐久性を向上させるとともに、回転ロータの組み立ておよび清掃体の交換が容易で、維持費用が安い空気調和機用回転ロータとそれを用いた空気調和機を提供することを目的とするものである。
【課題を解決するための手段】
【０００８】
空気調和機に装着されたエアフィルターに堆積した塵埃を除去し、一回転で得られる有効清掃幅が少なくとも３００mmの長さ有する空気調和機用回転ロータにおいて、前記回転ロータは、外周の長手方向に平行な直線状に形成された複数の支持溝を有するロータと、前記ロータの支持溝に基部を着脱自在に挿入し、清掃片を前記支持溝に沿って形成した開口より外周方向に突出させるとともに、直線状の支持溝に対して清掃片の先端を非直線状の形状にして前記エアフィルターに当接させ、堆積した塵埃を掻き取る少なくとも１つ以上の清掃体を備えたことを特徴とする空気調和機用回転ロータとしたものである。
【０００９】
また、本発明の空気調和機は、空気を熱交換する熱交換器と、前記熱交換器への吸い込
み空気流の上流側に位置し、流入する空気中に含まれる塵埃を捕獲するエアフィルターと、請求項１〜５のいずれか１項に記載の空気調和機用回転ロータとを備えた空気調和機としたものである。
【発明の効果】
【００１０】
本発明の空気調和機用回転ロータによれば、エアフィルターの耐久性を向上させ、堆積した塵埃を効率的に除去するとともに、組み立ておよび清掃体の交換が容易で、維持費用が安い回転ロータとこれを用いた空気調和機を提供することができる。
【発明を実施するための最良の形態】
【００１１】
第１の発明は、空気調和機に装着されたエアフィルターに堆積した塵埃を除去し、一回転で得られる有効清掃幅が少なくとも３００mmの長さ有する空気調和機用回転ロータにおいて、前記回転ロータは、外周の長手方向に平行な直線状に形成された複数の支持溝を有するロータと、前記ロータの支持溝に基部を着脱自在に挿入し、清掃片を前記支持溝に沿って形成した開口より外周方向に突出させるとともに、直線状の支持溝に対して清掃片の先端を非直線状の形状にして前記エアフィルターに当接させ、堆積した塵埃を掻き取る少なくとも１つ以上の清掃体を備えたことを特徴とする空気調和機用回転ロータとしたものである。
【００１２】
清掃片を非直線状の形状にしたことにより、堆積した塵埃を効率的に除去し、エアフィルターを損傷させることなく耐久性を向上させるとともに、回転ロータの組み立ておよび清掃体のみの交換が容易で、維持費用が安い空気調和機用回転ロータを提供することができる。
【００１３】
第２の発明は、第１の発明において、清掃体を、ロータの支持溝に挿入する基部を短い
円弧側とする扇形に形成し、前記基部を前記ロータの支持溝に挿入することにより、清掃
片の先端が波形になるようにしたことを特徴とする空気調和機用回転ロータとしたもの
である。
【００１４】
なお、清掃体を、ロータの支持溝に挿入する基部を短い円弧側とする扇形に形成し、前記基部を前記ロータの支持溝に挿入するようにしたが、ロータの複数の支持溝に、短い円弧側の寸法の異なる扇形に形成し、これを例えば複数の支持溝に交互に挿入することによって、清掃体の清掃片の先端に形状の異なる波形を形成させることが可能となり、エアフィルターの形態、塵埃の成分等に対応させて最適な条件を選択することができる。
【００１５】
第３の発明は、第１の発明において、清掃体の全長を、ロータの全長より長く形成し、前記ロータの支持溝に前記清掃体の基部を挿入するとともに、前記清掃体を前記ロータの全長内に収まるように押し込んで縮めることにより、前記清掃片の先端を波形になるようにしたことを特徴とするものである。
【００１６】
ロータの支持溝に清掃体の基部を挿入し、基部の両端から外力を加えて圧縮された状態で固定する。清掃片は開口から上部が開放されるため、その先端が波形になるものである。これによってロータの支持溝および支持溝に挿入前の清掃体の各々を直線状に形成すればよく、構成をより簡略することができ、また清掃体の基部の支持溝への挿入を容易に行うことができ、組立作業性が向上する。
【００１７】
第４の発明は、第１の発明において、清掃体の基部を長手方向に断続的に形成し、前記
基部をロータの異なった支持溝に順次挿入することにより、清掃片を前記ロータの軸の周りに螺旋状または波形になるように形成したことを特徴とするものである。
【００１８】
これによってロータの支持溝および支持溝に挿入前の清掃体の各々を直線状に形成すればよく、構成をより簡略することができる。さらに清掃体の基部を長手方向に切欠部を介して断続的に形成しているが、基部の長手方向の長さ、ピッチを変えることによって、螺旋の度合いを調節することもできる。
【００１９】
また、清掃体の基部を長手方向に断続的に形成し、これらの基部を、ロータの外周をロータの隣り合う異なる支持溝に交互に順次挿入することにより、清掃片はその先端を波形にすることもできる。さらに基部の長手方向の長さ、ピッチを変えることによって、波形のピッチを調節することができる。
【００２０】
第５の発明は、第１の発明において、基部を長手方向に平行な直線状に形成し、清掃片
を前記ロータの軸の周りに螺旋状になるように清掃体を形成し、前記基部をロータの支持溝に挿入したことを特徴とするものである。
【００２１】
これによってロータの支持溝および支持溝に挿入前の清掃体の基部の各々を直線状に形成すればよく、構成をより簡略することができ、また基部の支持溝への挿入を容易に行うことができ、組立作業性が向上する。
【００２２】
第６の発明は、空気を熱交換する熱交換器と、前記熱交換器への吸い込み空気流の上流
側に位置し、流入する空気中に含まれる塵埃を捕獲するエアフィルターと、請求項１〜５のいずれか１項に記載の空気調和機用回転ロータとを備えた空気調和機としたものである
【００２３】
清掃体の螺旋状または波形とした形状の清掃片で、堆積した塵埃を効率的に除去し、エアフィルターを損傷させることなく耐久性を向上させるとともに、空気調和機用回転ロータの組み立ておよび清掃体のみの交換が容易で、維持費用が安い空気調和機を提供することができる。
【００２４】
以下、本発明の実施例について、図１〜図６を参照しながら説明する。なおこの実施例によって本発明が限定されるものではない。
【００２５】
（実施例１）
図１(ａ)は、本発明の実施例１におけるロータの斜視図、図１(ｂ)は、清掃体の正面図、図１(ｃ)は、清掃体を備えた回転ロータの斜視図、図２は空気調和機用回転ロータを搭載した空気調和機の縦断面図、図３は、同空気調和機の内部構成の概略を示す斜視図である。
【００２６】
図１(ａ)〜(ｃ)を用いて回転ロータの構成について説明する。図１(ａ)において、ロータ２０は、アルミニュームなどの金属材料からなり、外周の長手方向に直線状に形成された支持溝２１、開口２２を有する。ロータ２０は、材料を押出し金型にて、まっすぐに押出して成形し、所定の長さに切断することで製作することが可能である。支持溝２１を長手方向に直線状に形成することによって、ロータ２０の長手方向の反りの発生を防止し、後述するロータ２０に清掃体を装着し、清掃体の清掃片がエアフィルターに当接する際の部分的な片当たりをなくして堆積した塵埃の除去効率を高め、さらに清掃片、エアフィルターの耐久性を向上させるとともに回転時の振動を防止することができる。
【００２７】
従来知られている捩り押出し金型にて、ロータの材料を捩りながら押出すかまたはロー
タの材料をまっすぐに押出して、後加工で、目的の捩り角度まで捩って支持溝を螺旋状に仕上げる構成に比較し、本実施例のように材料を押出し金型にて、まっすぐに押出して成形、製作する構成により、加工工程を簡略化することができるとともに長手方向の反りの発生を防止することによる前記した効果を有する。なおロータ２０の材料をアルミニュームなどの金属材料としたが、樹脂成形であってもよい。支持溝部２１の断面形状は、略Ｔ字状になっている。本実施例では、ロータ２０の最大回転外径寸法を１０ミリメートル以下として、径小に形成して回転ロータ２６が大型化しないようにしている。
【００２８】
ロータ２０の支持溝２１に挿入前の状態の清掃体２３の正面図を図１(ｂ)に示す。この
清掃体２３は、塩化ビニール等の樹脂材料、ゴムなどの軟質材の弾性を有する材料からなり、扇形に成形されているもので、支持溝２１に挿入する基部２４側の円弧長を清掃片２５の先端部の円弧長よりも短くしたものである。図１(ｃ)に示すように、扇形に形成した清掃体２３の基部２４を前記ロータの支持溝２１に着脱自在に挿入し、清掃片２５を支持溝２１に沿って形成した開口２２より外周方向に突出させ、回転ロータ２６を構成する。これにより、清掃片２５の先端部の円弧長が基部２４側の円弧長よりも長くなっていることから清掃片２５の先端が波形の非直線状の形状となるものである。なお清掃体２３は、抜け止め用のキャップ２７にてロータ２０の両端部で固定される。またキャップ２７の換わりに支持溝２１に固定用部材（図示なし）を挿入して清掃体２３を固定してもよい。
【００２９】
図２および図３において、空気調和機本体２８は、熱交換器２９と、室内の空気を取り入れる吸込口３０と、熱交換器２９と吸込口３０の間に配され、吸込口３０から流入する空気中に含まれる塵埃を捕集するエアフィルター３１と、エアフィルター３１の上流側に配されるとともに、エアフィルター３１で捕集された塵埃を除去する回転ロータ２６と、回転ロータ２６を回転駆動する回転駆動手段（図示せず）と、回転ロータ２６を前記エアフィルター３１の上流側の表面に沿って上下方向に移動させる上下移動手段（図示せず）と、吸込口３０から室内の空気を吸引し、エアフィルター３１、熱交換器２９を通して、吹き出し口３２から、熱交換された空気を室内に吹き出すファン３３を備えている。
【００３０】
また、本実施例では、空気調和機本体２８内に、二分割されて配された２つのエアフィルター３１のそれぞれに対向させて、回転ロータ２６を設けている。また、標準の冷房能力を有する空気調和機に搭載されたエアフィルター３１の一個の横幅は、３００ｍｍ以上なので、本実施例では、回転ロータ２６の有効清掃幅（回転ロータ２６に装着された清掃体２３の全幅寸法、L）を少なくとも３００ｍｍ確保するように設定している。回転ロータ２６の有効清掃幅を少なくとも３００ｍｍとすることで、一個の回転ロータで、一つのエアフィルターの清掃を確実に行うことができる。
【００３１】
次に、本実施例における回転ロータ２６及びそれを搭載した空気調和機の動作を説明する。空気調和機の本体２８を、例えば、冷房運転すると、ファン３２により室内の空気が吸込口３０から流入し、エアフィルター３１を通って熱交換器２９に至り、そこで冷却され、冷たい空気が吹き出し口３２から室内に吹き出される。吸込口３０から吸引される室内の空気に含まれる塵埃は、エアフィルター３１で捕集され、エアフィルター３１の表面に次第に堆積していく。エアフィルター３１の表面に塵埃が堆積してくると、空気の通気圧損が増加し、熱交換器２９での熱交換効率が低下してくるので、定期的に或いは、必要に応じて、エアフィルター３１に堆積した塵埃の除去運転が必要となる。
【００３２】
塵埃の除去運転の開始に当たり、回転ロータ２６は、図２に示すように、エアフィルター３１の下端に位置している。塵埃の除去運転を開始すると、回転駆動手段（図示せず）により回転ロータ２６が矢印方向に回転するとともに、その回転する回転ロータ２６が上下移動手段（図示せず）で、エアフィルター３１の表面に沿って上方に移動する。この間に、清掃体２３の清掃片２５の先端で、エアフィルター３１に付着堆積した塵埃が掻き落とされる。掻き落とされた塵埃は、図示しない塵埃吸引手段で吸引されると共に、屋外に排出されるようになっている。なお上下移動手段により、回転ロータ２６が、エアフィルター３１の上端まで達すると、自動的に下降し、次回の塵埃の除去運転用に、エアフィルター３１の下端で停止するようになっている。
【００３３】
本実施例の回転ロータ２６は、ロータ２０の外周の長手方向に直線状に支持溝２１、開口２２を形成し、この直線状の支持溝２１に清掃体２３の基部２４を挿入することによって、螺旋状の支持溝に比較して清掃体２３を挿入しやすく、組立作業性が著しく向上する。
【００３４】
さらに、回転ロータ２６の清掃片２５は、網目状のエアフィルター３１上の塵埃を掻き取るため、消耗しやすく、定期的に清掃体２３を交換する必要があるが、従来の回転ロータ８の清掃体８ｂは、ロータ８ａに植設されているため、清掃体８ｂのみの交換は不可能で、回転ロータ８全体を交換する必要があり、回転ロータ８が搭載された空気調和機の維持費用が高価になるという課題を有している。これに対して本実施例においては、支持溝２１から清掃体２３の基部２４を外し、新規な清掃体２３を挿入すること可能となる。
【００３５】
また、清掃片２５の先端が波形となることにより、回転ロータ２６の回転時に複数の清
掃体２３の清掃片２５の先端がエアフィルター３１に対してより連続的に当接し、かつ清
掃片２５の先端のエアフィルター３１を擦る長さが長くなり、塵埃の除去効果を向上させ
るとともに、樹脂製で薄く柔軟な網目状のエアフィルター３１を損傷させることがない。
また摺動抵抗が分散され、回転ロータ２６を回転駆動する回転駆動手段の消費電流が少な
くて済むとともに、エアフィルター３１を、むら無く、均一に清掃することができる。
【００３６】
なお、各々の清掃体２３を、ロータ２０の支持溝２１に挿入する基部２４を短い円弧側とする扇形に形成し、前記基部２４を前記ロータ２０の支持溝に挿入するようにしたが、ロータ２０の複数の支持溝２１に、短い円弧側の寸法の異なる扇形に形成し、これを例えば複数の支持溝２１に交互に挿入することによって、清掃体２３の清掃片２５の先端に形状の異なる波形を形成させることが可能となり、エアフィルター３１の形態、塵埃の成分等に対応させて最適な条件を選択することができる。
【００３７】
（実施例２）
図４(ａ)は、本発明の実施例２におけるロータの斜視図（実施例１と同一）、図４(ｂ)は、清掃体の斜視図、図４(ｃ)は、清掃体を備えた回転ロータの斜視図である。図４(ａ)〜(ｃ)を用いて実施例２の回転ロータの構成について説明する。実施例１と同一構成、効果は説明を省略し、異なる点を以下に説明する。
【００３８】
実施例２においては、清掃体３４の全長（Ｌ２）を、ロータ２０の全長（Ｌ１）より長く形成し、ロータ２０の支持溝２１に清掃体３４の基部３５を挿入するとともに、清掃体３４をロータ２０の全長（Ｌ１）内に収まるように押し込んで縮める（Ｌ３）ことにより、清掃片３６の先端を波形になるようにして回転ロータ３７を構成したものである。
【００３９】
ロータ２０の支持溝２１に清掃体３４の基部３５を挿入し、基部３５の両端から外力を加えて圧縮された状態で固定する。清掃片３６は開口２２から上部が開放されるため、その先端が波形になるものである。これによってロータ２０の支持溝２１および支持溝２１に挿入前の清掃体３４の各々を直線状に形成すればよく、構成をより簡略することができ、また清掃体３４の基部３５の支持溝２１への挿入を容易に行うことができ、組立作業性が向上する。
【００４０】
（実施例３）
図５(ａ)は、本発明の実施例３におけるロータの斜視図（実施例１と同一）、図５(ｂ)は清掃体の斜視図、図５(ｃ)は支持溝に清掃体を挿入した状態の平面展開図である。図５(ａ)〜(ｃ)を用いて実施例３の回転ロータの構成について説明する。実施例１と同一構成、効果は説明を省略し、異なる点を以下に説明する。
【００４１】
実施例３においては、清掃体３８の基部３９を長手方向に切欠部４１を介して断続的に形成し、これらの基部３９を、ロータ２０の外周を切欠部３９が跨ぎながらロータ２０の異なる支持溝２１に同一方向に順次挿入することにより、清掃片４０をロータ２０の軸の周りに螺旋状になるようにして回転ロータ４２を構成したものである。
【００４２】
これによってロータ２０の支持溝２１および支持溝２１に挿入前の清掃体３８の各々を直線状に形成すればよく、構成をより簡略することができる。さらに清掃体３８の基部３９を長手方向に切欠部４１を介して断続的に形成しているが、基部３９、切欠部４１の長手方向の長さ、ピッチを変えることによって、螺旋の度合いを調節することもできる。
【００４３】
また、図示はないが、清掃体３８の基部３９を長手方向に切欠部４１を介して断続的に形成し、これらの基部３９を、ロータ２０の外周を切欠部４１が跨ぎながらロータ２０の隣り合う異なる支持溝２１に交互に順次挿入することにより、清掃片４０はその先端を波形（V字形）にすることもできる。さらに基部３９、切欠部４１の長手方向の長さ、ピッチを変えることによって、波形のピッチを調節することができる。また１つの清掃体３８を用い、基部３９を、ロータ２０の外周を切欠部３９が跨ぎながらロータ２０の異なる支持溝２１に同一方向に順次挿入することにより、清掃片４０をロータ２０の軸の周りに螺旋状になるようにして回転ロータ４２を構成することもできる。この構成においては、清掃体３８の数を最小限として回転ロータ４２を構成することができ、コストをより削減することができる。
【００４４】
（実施例４）
図６(ａ)は、本発明の実施例４におけるロータの斜視図（実施例１と同一）、図６(ｂ)は、清掃体の斜視図、図６(ｃ)は、清掃体を備えた回転ロータの斜視図である。図６(ａ)〜(ｃ)を用いて実施例４の回転ロータの構成について説明する。実施例１と同一構成、効果は説明を省略し、異なる点を以下に説明する。
【００４５】
実施例４においては、基部４４を長手方向に平行な直線状に形成し、清掃片４５をロータ２０の軸の周りに螺旋状になるように予め清掃体４３を形成し、基部４４をロータ２０の支持溝２１に挿入して回転ロータ４６を構成したものである。
【００４６】
これによってロータ２０の支持溝２１および支持溝２１に挿入前の清掃体４３の基部４４の各々を直線状に形成すればよく、構成をより簡略することができ、また基部４４の支持溝２１への挿入を容易に行うことができ、組立作業性が向上する。
【００４７】
なお、各実施例１、２、３、４において、清掃体の各々の清掃片の板厚を、その先端部側を基部側より薄くすることによって、エアフィルター３１に当接する部分の柔軟性がより増し、網目状のエアフィルター３１の損傷を無くすことができる。さらに同一のロータに、清掃片の全体の板厚、または先端部側を基部側より薄くした清掃体を混在させて挿入し、回転ロータを構成することもできる。これによってエアフィルター３１の強度、塵埃の成分、付着状態に応じて適宜選択して用いることができる。
【００４８】
また、各実施例１、２、３、４において、清掃片の先端部に、例えば先端から１から３mmの切れ目を複数設けることによって、エアフィルター３１に当接する部分の柔軟性がより増し、網目状のエアフィルター３１の損傷を無くすことができる。さらにエアフィルター３１の反り、小さな凹凸が生じた場合やエアフィルター３１の支持枠と網目部分およびこれらの境界部分にも清掃片の先端が隙間なく当接し、塵埃をより完全に除去することができる。
【００４９】
また、各実施例１、２、３、４において、清掃体の各々の基部を、ロータ２０の支持溝にロータ２０の長手方向の一方から挿入するようにしたが、ロータ２０の支持溝に平行して設けた開口から清掃体の各々の基部をロータ２０の軸方向に圧入する構成でもよい。この場合には支持溝、開口、基部の寸法関係、清掃体の弾性度合いを、圧入のしやすさおよび清掃体の保持固定力を考慮して設定すればよい。これによって例えば回転ロータの長さが長くなった場合などに、清掃体をロータにより固定しやすくすることができる。またこれによってロータへの清掃体の着脱性を損なうものではない。
【００５０】
また、実施例１、２、４において、直線状の支持溝に対して清掃片の先端を非直線状の形状にしたことによって、エアフィルター３１の強度、塵埃の成分、付着状態または回転ロータの駆動回転数の設定等によって、清掃体の数を少なくとも１つ以上として同一のロータに対して適宜選択して用いればよい。さらに回転ロータには、直線状の支持溝に対して清掃片の先端を直線状の形状にした清掃体と、直線状の支持溝に対して清掃片の先端を非直線状の形状にした清掃体を、各々同一のロータに備えてもよい。また各実施例１、２、３、４の清掃体の内、複数を同一のロータに備えて回転ロータを構成してもよい。
【００５１】
以上のように、エアフィルターに堆積した塵埃を除去し、一回転で得られる有効清掃幅が少なくとも３００mmの長さ有する本発明の空気調和機用回転ロータによれば、ロータの外周の長手方向に平行な直線状に形成された支持溝を形成し、前記支持溝に清掃体の基部を着脱自在に挿入し、清掃片を非直線状の形状にしたことにより、堆積した塵埃を効率的に除去し、エアフィルターを損傷させることなく耐久性を向上させるとともに、組み立ておよび清掃体のみの交換が容易で、維持費用が安い空気調和機用の回転ロータを提供することができる。
【００５２】
さらに、清掃片の先端とエアフィルターに部分的に接するようになり、摺動抵抗が分散され、回転ロータを回転駆動する回転駆動手段の消費電流が少なくて済むとともに、エアフィルターをむら無く、均一に清掃することができる。
【００５３】
また、ロータの外周の長手方向に平行な直線状に形成された支持溝を形成させたことにより、ロータに捻り加工等による反り等の変形の発生がなく、仕上がり精度の良い回転ロータで塵埃の除去効率が向上する。
【産業上の利用可能性】
【００５４】
家庭用、業務用の各種空気調和機は勿論、空気清浄機、換気装置などエアフィルターを有する各種機器に適用できる。
【図面の簡単な説明】
【００５５】
【図１】(ａ)  本発明の実施例１におけるロータの斜視図。          (ｂ)  同清掃体の正面図。          (ｃ)  同清掃体を備えた回転ロータの斜視図。
【図２】同空気調和機用回転ロータを搭載した空気調和機の縦断面図。
【図３】同空気調和機の内部構成の概略を示す斜視図。
【図４】(ａ)  本発明の実施例２におけるロータの斜視図。          (ｂ)  同清掃体の斜視図。          (ｃ)  同清掃体を備えた回転ロータの斜視図。
【図５】(ａ)  本発明の実施例３におけるロータの斜視図。          (ｂ)  同清掃体の斜視図。          (ｃ)  同清掃体を備えた回転ロータの斜視図。
【図６】(ａ)  本発明の実施例４におけるロータの斜視図。          (ｂ)  同清掃体の斜視図。          (ｃ)  同清掃体を備えた回転ロータの斜視図。
【図７】従来の空気調和機用回転ロータを配した空気調和機の縦断面図。
【図８】同空気調和機用回転ロータの斜視図。
【符号の説明】
【００５６】
２０  ロータ
２１  支持溝
２２  開口
２３、３４、３８、４３  清掃体
２４、３５、３９、４４  基部
２５、３６、４０、４５  清掃片
２６、３７、４２、４６  回転ロータ
２７  キャップ
２８  空気調和機本体
２９  熱交換器
３０  吸込口
３１  エアフィルター
３２  吹き出し口
３３  ファン
４１  切欠部
【図１】
2007315735.tif 000003
【図２】
2007315735.tif 000004
【図３】
2007315735.tif 000005
【図４】
2007315735.tif 000006
【図５】
2007315735.tif 000007
【図６】
2007315735.tif 000008
【図７】
2007315735.tif 000009
【図８】
2007315735.tif 000010